(57)【要約】【課題】安定した冷却性能を備えた冷蔵装置を提供する。【解決手段】  被冷蔵物を収納する収納庫５０と、収納庫５０を冷却する冷却ユニット７０と、これらを収容するハウジング１０とを有し、ハウジング１０は、直方体状であり、後面１２の左右両側に沿って上下に延びる２つの後方コーナー１０ｃおよび１０ｄを含み、これらの後方コーナー１０ｃ（１０ｄ）のそれぞれは、後面１２の下端１２ｂから上方１００ａに延びる第１の屈曲部９１と、第１の屈曲部９１よりも内側に位置し、後面１２および側面１３（１４）を斜めに接続する第１の面３１であって、第１の屈曲部９１の上端から上方１００ａに延びる第１の面３１を備えた第２の屈曲部９２とを含み、一方の第１の面３１ａは、冷却ユニット７０の放熱部７３に外気を供給する吸気孔３５を含み、他方の第１の面３１ｂは、放熱部７３から排熱される空気を排出する排気孔３６を含む冷蔵装置１である。【選択図】図２
2014043969.tif 000002
【特許請求の範囲】
【請求項１】
被冷蔵物を収納する収納庫と、
前記収納庫を冷却する冷却ユニットと、
前記収納庫および前記冷却ユニットを収容するハウジングとを有し、
前記ハウジングは、直方体状であり、後面の左右両側に沿って上下に延びる２つの後方コーナーを含み、
前記２つの後方コーナーのそれぞれは、前記後面の下端から上方に延びる第１の屈曲部と、
前記第１の屈曲部よりも内側に位置し、前記後面および側面を斜めに接続する第１の面であって、前記第１の屈曲部の上端から上方に延びる第１の面を備えた第２の屈曲部とを含み、
一方の前記後方コーナーの前記第１の面は、前記冷却ユニットの放熱部に外気を供給する吸気孔を含み、
他方の前記後方コーナーの前記第１の面は、前記放熱部から排熱される空気を排出する排気孔を含む、冷蔵装置。
【請求項２】
請求項１において、
当該冷蔵装置は、前記ハウジングの内部に、前記放熱部が配置された第１の領域と、
前記第１の領域の側方の一方の前記第１の面と対峙する第２の領域であって、前記第１の領域に前記外気を圧送するファンが配置された第２の領域と、
前記第１の領域の側方の他方の前記第１の面と対峙する第３の領域と、
前記第２の領域の下方の第４の領域であって、前記冷却ユニットに電力を供給する電源ユニットが配置された第４の領域と、
前記第３の領域の下方の第５の領域であって、前記冷却ユニットから発生するドレンを回収するドレン回収ユニットが配置された第５の領域とをさらに有する、冷蔵装置。
【請求項３】
請求項２において、
前記ドレン回収ユニットは、回収された前記ドレンを一時的に蓄えるドレンパンと、
前記ドレンパンの前記ドレンを吸収する吸収材であって、前記第３の領域の下端に達するように配置された吸収材とを含む、冷蔵装置。
【請求項４】
請求項１ないし３のいずれかにおいて、
前記収納庫は上方に開口した箱形であり、
当該冷蔵装置は、前記ハウジングの内部に、前記収納庫を四方から囲み、前記収納庫の周囲を冷気が循環する循環領域をさらに有し、
前記冷却ユニットは、前記循環領域の一部に吸熱部が露出するように配置されている、冷蔵装置。
【請求項５】
請求項４において、
前記ハウジングは、前記収納庫を前方に引き出す前面蓋を含み、前記前面蓋および前記収納庫の間に前記循環領域の一部となる空間が形成されている、冷蔵装置。
【請求項６】
請求項５において、
当該冷蔵装置は、前記前面蓋および前記収納庫を接続するブラケットであって、前記前面蓋および前記収納庫の間を冷気が通過可能な通気孔を含むブラケットをさらに有する、冷蔵装置。
【発明の詳細な説明】
【技術分野】
【０００１】
本発明は、白米などの被冷蔵物を保存するのに適した冷蔵装置に関するものである。
【背景技術】
【０００２】
特許文献１には、高周囲温度でも冷却性能が劣らず、白米の品質を維持する保冷米びつ装置を提供することが記載されている。そのため、特許文献１には、冷凍サイクル装置を構成する圧縮機、放熱器、放熱用送風機を機械室に、冷却器、冷却用送風機を収納室に配置し、さらに、断熱区画壁によって機械室と収納室を断熱区画したことにより、冷凍サイクル装置の集中配置を緩和した構成とし、また、冷凍サイクル装置を熱源として米びつを冷却することができ、設置環境の悪い場所に設置されても安定した冷却性能を得ることができることが記載されている。
【先行技術文献】
【特許文献】
【０００３】
【特許文献１】特開２０１１−７５２６５号公報
【発明の概要】
【発明が解決しようとする課題】
【０００４】
白米などの被冷蔵物を保存するために安定した冷却性能を備えた冷蔵装置が求められている。
【課題を解決するための手段】
【０００５】
本発明の態様の１つは、被冷蔵物を収納する収納庫と、収納庫を冷却する冷却ユニットと、収納庫および冷却ユニットを収容するハウジングとを有し、ハウジングは、直方体状であり、後面の左右両側に沿って上下に延びる２つの後方コーナーを含み、２つの後方コーナーのそれぞれは、後面の下端から上方に延びる第１の屈曲部と、第１の屈曲部よりも内側に位置し、後面および側面を斜めに接続する第１の面であって、第１の屈曲部の上端から上方に延びる第１の面を備えた第２の屈曲部とを含み、一方の後方コーナーの第１の面は、冷却ユニットの放熱部に外気を供給する吸気孔を含み、他方の後方コーナーの第１の面は、放熱部から排熱される空気を排出する排気孔を含む冷蔵装置である。
【０００６】
この冷蔵装置においては、ハウジングの２つの後方コーナーにおいて、第１の屈曲部の上方の第１の面が第１の屈曲部よりも内側に位置しているので、第１の屈曲部の上方に第１の面により切り欠かれたスペースを形成できる。このため、ハウジングの後面および側面を壁面などに密着させて設置しても、第１の面を壁面などに対して非接触にできる。すなわち、第１の面よりも外側に位置する第１の屈曲部が壁面に接触することにより、第１の屈曲部の上方において第１の面と壁面との間にスペースを確保できる。したがって、吸気孔および排気孔が塞がれることを防止できる。このため、放熱部を冷却するために吸気孔および排気孔を介して流通する外気（空気）の流通経路を確保でき、冷却ユニットの冷却性能が低下することを抑制できる。したがって、後面および側面が壁面と密着するような狭小なスペースに設置したとしても、安定した冷却性能を発揮可能な冷蔵装置を提供できる。
【０００７】
この冷蔵装置は、ハウジングの内部に、放熱部が配置された第１の領域と、第１の領域の側方の一方の第１の面と対峙する第２の領域であって、第１の領域に外気を圧送するファンが配置された第２の領域と、第１の領域の側方の他方の第１の面と対峙する第３の領域と、第２の領域の下方の第４の領域であって、冷却ユニットに電力を供給する電源ユニットが配置された第４の領域と、第３の領域の下方の第５の領域であって、冷却ユニットから発生するドレンを回収するドレン回収ユニットが配置された第５の領域とをさらに有することが望ましい。
【０００８】
この冷蔵装置においては、第２の領域に配置されたファンの強制対流により第１の領域に外気が圧送され、第１の領域に配置された放熱部から排熱される空気が第３の領域を通って排出される。このため、第２の領域の下方の第４の領域に配置される電源ユニットの放熱により発生する上昇気流は、上方の強制対流に引っ張られるかたちで第５の領域を通って、第５の領域の上方の第３の領域に向けて流れる。したがって、電源ユニットからの排熱風が第５の領域に配置されるドレン回収ユニットに沿って流れるので、ドレンの蒸発処理を促進できる。
【０００９】
ドレン回収ユニットは、回収されたドレンを一時的に蓄えるドレンパンと、ドレンパンのドレンを吸収する吸収材であって、第３の領域の下端に達するように配置された吸収材とを含むことが望ましい。吸収材が、電源ユニットの放熱に伴う上昇気流の経路に配置されるので、ドレンの蒸発効率をさらに向上できる。
【００１０】
収納庫は上方に開口した箱形であり、この冷蔵装置は、ハウジングの内部に、収納庫を四方から囲み、収納庫の周囲を冷気が循環する循環領域をさらに有し、冷却ユニットは、循環領域の一部に吸熱部が露出するように配置されていることが望ましい。被冷蔵物を収納庫の上方から投入でき、投入された被冷蔵物を収納庫の周囲全体から均等に冷却しやすいため、被冷蔵物として白米、玄米、小麦などの穀物を冷却保存するのに適した冷蔵装置を提供できる。
【００１１】
ハウジングは、収納庫を前方に引き出す前面蓋を含み、前面蓋および収納庫の間に循環領域の一部となる空間が形成されていることが望ましく、この冷蔵装置は、前面蓋および収納庫を接続するブラケットであって、前面蓋および収納庫の間を冷気が通過可能な通気孔を含むブラケットをさらに有することが望ましい。収納庫の周囲における冷気の循環効率が低下することを抑制可能な引き出しタイプの冷蔵装置を提供できる。
【図面の簡単な説明】
【００１２】
【図１】冷蔵装置を右斜め前方から見た斜視図。
【図２】冷蔵装置を左斜め後方から見た斜視図。
【図３】冷蔵装置の内部構成を右斜め前方から見た縦断面斜視図。
【図４】冷蔵装置の内部構成を後方から見た横断面図。
【図５】開状態における冷蔵装置の内部構成を右方から見た横断面図。
【図６】冷蔵装置から前面蓋およびブラケットを抜き出して示す斜視図。
【図７】冷蔵装置のVII−VII断面図（図４のVII−VII断面）。
【図８】冷蔵装置のVIII−VIII断面図（図４のVIII−VIII断面）。
【発明を実施するための形態】
【００１３】
図１に、本発明に係る冷蔵装置１を右斜め前方１１１ｂから見た斜視図により示している。図２に、冷蔵装置１を左斜め後方１１１ｄから見た斜視図により示している。この冷蔵装置１は、直方体状のハウジング１０と、ハウジング１０の内部に収容された、被冷蔵物を収納する収納庫５０と、収納庫５０を冷却する冷却ユニット７０とを有する。冷蔵装置１は、典型的には、白米などの被冷蔵物を冷却保存する米びつ装置である。この米びつ装置１は、ハウジング１０の前面１１を構成する前面蓋２１を前後方向１０１に開閉して白米を上方１００ａから投入可能な引き出し式の米びつ装置である。
【００１４】
このハウジング１０は、４隅を上下方向１００に延びる４つのコーナー（辺部）１０ａ〜１０ｄを含む。４つのコーナー１０ａ〜１０ｄの内、後面１２の左右両側に沿って上下方向１００に延びる右斜め後方コーナー１０ｃおよび左斜め後方コーナー１０ｄは、それぞれ、後面１２の下端１２ｂから上方１００ａに延びる第１の屈曲部９１（９１ａ、９１ｂ）と、第１の屈曲部９１よりも内側に位置し、第１の屈曲部９１の上端から上方１００ａに延びる第２の屈曲部９２（９２ａ、９２ｂ）とを含む。
【００１５】
右方１０２ｂの第１の屈曲部９１ａは、後面１２および右側面１４を直角に接続する稜線部３０ａ（３０）を含む。右方１０２ｂの第２の屈曲部９２ａは、稜線部３０ａよりも内側（左斜め前方１１１ａ）に後退して（窪んで）後面１２および右側面１４を斜めに接続する第１の面３１ａ（３１）を含む。第１の屈曲部９１ａおよび第２の屈曲部９２ａは、稜線部３０ａの上端および第１の面３１ａの下端が上方１００ａに若干隆起した小段面３２ａ（３２）を介して接続されている。
【００１６】
左方１０２ａの第１の屈曲部９１ｂは、後面１２および左側面１３を直角に接続する稜線部３０ｂ（３０）を含む。左方１０２ａの第２の屈曲部９２ｂは、稜線部３０ｂよりも内側（右斜め前方１１１ｂ）に後退して（窪んで）後面１２および左側面１３を斜めに接続する第１の面３１ｂ（３１）を含む。第１の屈曲部９１ｂおよび第２の屈曲部９２ｂは、稜線部３０ｂの上端および第１の面３１ｂの下端が上方１００ａに若干隆起した小段面３２ｂ（３２）を介して接続されている。
【００１７】
稜線部３０ａおよび３０ｂは、後面１２の下端１２ｂ、すなわちハウジング１０の底面１６から上方１００ａに向けて垂直に立ち上がっている。第１の面３１ａおよび３１ｂは、稜線部３０ａおよび３０ｂのそれぞれとの間に小段面３２ａおよび３２ｂのそれぞれを介して上方１００ａに向けて垂直に切り立ち、後面１２の上端１２ａ、すなわちハウジング１０の上面１５に達している。一方（右方１０２ｂ）の第１の面３１ａは、冷却ユニット７０の放熱部（放熱ヒートシンク）７３に外気を供給するために右斜め後方１１１ｃに向けて開口した複数の吸気孔３５を含む。他方（左方１０２ａ）の第１の面３１ｂは、放熱ヒートシンク７３から排熱される空気を排出するために左斜め後方１１１ｄに向けて開口した複数の排気孔３６を含む。
【００１８】
この米びつ装置１では、ハウジング１０の２つの後方コーナー１０ｃおよび１０ｄにおいて、第１の面３１が第１の屈曲部９１よりも内側に位置している。このため、それぞれの第１の屈曲部９１（９１ａ、９１ｂ）の上方１００ａであって、第１の面３１ａの右斜め後方１１１ｃおよび第１の面３１ｂの左斜め後方１１１ｄに、それぞれの第１の面３１（３１ａ、３１ｂ）により切り欠かれた三角柱状のスペース９９を形成できる。したがって、ハウジング１０の後面１２および左側面１３（右側面１４）を壁面などに密着させて設置しても、第１の面３１を壁面などに対して非接触にできる。すなわち、第１の面３１よりも外側に位置する（張り出した）稜線部３０と、稜線部３０を介して直角に接続された後面１２および左側面１３（右側面１４）とが壁面に接触することにより、小段面３２の上方１００ａにおいて第１の面３１と壁面との間に確実にスペース９９を確保できる。したがって、吸気孔３５および排気孔３６が塞がれることを防止できる。このため、放熱ヒートシンク７３を冷却するために吸気孔３５および排気孔３６を介して流通する外気（空気）の循環経路（流通経路）を確保でき、冷却ユニット７０の冷却性能が低下することを抑制できる。したがって、設置場所を選ばず、後面１２、左側面１３および右側面１４が壁面と密着するような狭小なスペースに設置したとしても、安定した冷却性能を発揮可能な米びつ装置１を提供できる。
【００１９】
本例のハウジング１０は、主に前面１１を構成する前面蓋２１と、後面１２、左側面１３（右側面１４）の一部、第１の面３１および小段面３２を構成する背面パネル（背面カバー）２２と、左側面１３を構成する左側面パネル２３と、右側面１４を構成する右側面パネル２４と、主に上面１５を構成する上面パネル２５と、主に底面１６を構成する底面パネル２６とを含む。背面パネル２２は、後面１２を構成する後面部２２ａと、左側面１３（右側面１４）の一部を構成する側面部２２ｂと、第１の面３１を構成する傾斜面部２２ｃとを含む。背面パネル２２の左方１０２ａの側面部２２ｂは、左方１０２ａに向けて開口した複数の補助排気孔３９を含む。底面パネル２６には、左右一組の切り欠き状の取っ手２６ａが設けられている。
【００２０】
図３に、米びつ装置１の内部構成を右斜め前方１１１ｂから見た縦断面斜視図により示している。米びつ装置１は、ハウジング１０の内部に収容された、上方１００ａに向けて開口した投入口５５を含む箱形（有底四角筒形）の収納庫５０と、収納庫５０の前側壁５１および前面蓋２１を接続（連結）する左右一組のブラケット６０と、収納庫５０の後方１０１ｂに配置された冷却ユニット７０とを有する。
【００２１】
この冷却ユニット７０は、冷媒、圧縮器および蒸発器などを用いない簡易な冷却システムであるペルチェ効果素子を用いたペルチェ冷却ユニットである。収納庫５０は、四方（前後左右）の前側壁５１、後側壁５２、左側壁５３および右側壁５４の周囲に所定の隙間（空間）４６を隔てた状態で断熱材５９により囲われており、この隙間４６により形成された領域が、ペルチェ冷却ユニット７０により冷却された空気（冷気）が四方の側壁５１〜５４の外側に沿って循環する内気循環領域（循環領域）４６となっている。この米びつ装置１では、内気循環領域４６を循環する冷気が媒体となって収納庫５０を周囲全体から徐々に冷却することにより、収納庫５０および収納庫５０の内部に貯蔵された白米の熱を吸収して保冷できる。
【００２２】
このペルチェ冷却ユニット７０は、断熱材５９の内側の内気循環領域４６の一部に収納庫５０の後側壁５２に面して配置された吸熱部（吸熱ヒートシンンク）７２と、断熱材５９の外側の領域４０の一部に背面パネル２２と対峙して配置された放熱部（放熱ヒートシンク）７３と、吸熱ヒートシンク７２および放熱ヒートシンンク７３を連結するペルチェユニット（ペルチェ効果素子）７１とを含む。吸熱ヒートシンンク７２の右方１０２ｂには、内気循環領域４６における冷気の循環効率を向上させるための循環ファン７５が配置されており、収納庫５０を周囲全体から均等に冷却できる。放熱ヒートシンンク７３の右方１０２ｂには、吸気孔３５を介して外気を圧送する冷却ファン７６が配置されており、放熱ヒートシンク７３からの放熱効率を向上できる。
【００２３】
断熱材５９の外側で背面パネル２２により囲われた領域４０は、冷却ファン７６により吸気孔３５を介して外気が供給され、放熱ヒートシンク７３から排熱される空気が排気孔３６を介して排出される外気循環領域４０となっている。外気循環領域４０は、後面１２と対峙する四角柱状の第１の領域４１と、第１の領域４１の右方１０２ｂの第１の面３１ａと対峙する三角柱状の第２の領域４２と、第１の領域４１の左方１０２ａの第１の面３１ｂと対峙する三角柱状の第３の領域４３とを含む。第１の領域４１には、放熱ヒートシンンク７３が後面１２と平行に配置されている。第２の領域４２には、冷却ファン７６が第１の面３１ａと平行に配置されている。
【００２４】
図４に、米びつ装置１の内部構成を後方１０１ｂから見た横断面図により示している。この米びつ装置１では、水平方向（左右方向１０２）に並んだ第１〜第３の領域４１、４２および４３において、経路Ａに示すように、冷却ファン７６の強制対流により、吸気孔３５を介して供給された空気が放熱ヒートシンク７３のフィン７３ａを通過して放熱ヒートシンンク７３からの排熱風が排気孔３６を介して排出される。
【００２５】
断熱材５９の外側の外気循環領域４０は、さらに、第２の領域４２の下方１００ｂの稜線部３０ａと対峙する四角柱状の第４の領域４４と、第３の領域４３の下方１００ｂの稜線部３０ｂと対峙する四角柱状の第５の領域４５とを含む。第４の領域４４および第５の領域４５は、水平方向（左右方向１０２）に隣接している。第４の領域４４には、ペルチェ冷却ユニット７０などに電力を供給する電源ユニット（電源装置、電源基板、制御基板）９０が配置されている。この電源装置９０は、家庭用の交流電源でペルチェ冷却ユニット７０などを稼働できるように、交流電力をＡＣ／ＤＣ変換器などにより変換した直流電力をペルチェ冷却ユニット７０、循環ファン７５および冷却ファン７６に供給する機構を備えている。
【００２６】
この米びつ装置１は、さらに、ペルチェ冷却ユニット７０の吸熱ヒートシンク７２から発生したドレン（水滴）を回収するドレン回収システム８０を有する。このドレン回収システム８０は、内気循環領域４６において吸熱ヒートシンク７２からのドレンが流入する内部ドレン回収ユニット（内部ドレンパン）８１と、内部ドレンパン８１からのドレンを外側の外気循環領域４０に断熱材５９を貫通して導くドレン回収管８２と、ドレン回収管８２を通って導かれたドレンを回収する外部ドレン回収ユニット８３とを含む。
【００２７】
外部ドレン回収ユニット８３は、回収されたドレンを一時的に蓄えるドレンパン（外部ドレンパン）８４と、外部ドレンパン８４のドレンを吸収する吸収材（蒸発紙）８５とを含む。吸収材８５は、吸収性（吸湿性）のある素材により構成されており、上方１００ａの第３の領域４３の下端に達するように上下方向１００に延びた縦長の薄板状（薄膜状）であり、小段面３２ｂの真下（直下）に配置されている。吸収材８５の一例は、園芸用保水材に用いられるフェルト布や、加湿器の加湿材に用いられるガラス繊維をハニカム状に形成したものであるが、吸水性のある素材であればよく、薄い板状または布状に形成されているものが蒸発効果の点で好ましい。このドレン回収システム８０では、外部ドレンパン８４に回収されたドレンが吸収材８５に吸収されることにより、外部ドレンパン８４におけるドレンの水面に加えて、吸収材８５の表面８５ａにおいても蒸発処理（自己蒸発）が行われる。
【００２８】
さらに、この米びつ装置１では、外部ドレンパン８４が、電源装置９０が配置された第４の領域４４の排気孔３６側で、排気孔３６が配置された第３の領域４３の下方１００ｂの第５の領域４５に配置されている。このため、隣接する電源装置９０の放熱によりドレンパン８４が加熱され、ドレンの温度が上昇することによりドレンの自己蒸発を促進できる。さらに、経路Ｂに示すように、電源装置９０の放熱により発生する上昇気流が上方１００ａの強制対流（経路Ａ）に引っ張られるかたちで上方１００ａの排気孔３６または左方１０２ａの補助排気孔３９を介して排出される。このため、電源装置９０からの放熱風が第５の領域４５のドレンパン８４および吸収材８５に沿って流れるので、ドレンの蒸発処理能力を向上できる。さらに、外部ドレンパン８４に配置された吸収材８５は、稜線部３０ｂに沿って上方１００ａの第３の領域４３に達する程度に延びているため、電源装置９０からの放熱風が吸収材８５の表面８５ａに沿って流れやすく、表面８５ａとの接触面積を大きくできる。このため、ドレンの自己蒸発をいっそう促進できる。したがって、ドレンの蒸発効率がよく、ユーザーが定期的にドレンを排水する手間を省略可能な米びつ装置１を提供できる。
【００２９】
図５に、開状態における米びつ装置１の内部構成を右方１０２ｂから見た横断面図により示している。図６に、米びつ装置１から前面蓋２１およびブラケット６０を抜き出して斜視図により示している。この米びつ装置１は、収納庫５０を前後方向１０１に出し入れするために前側壁５１と前面蓋２１とを連結するブラケット６０を有する。このブラケット６０は、前側壁５１の上端５１ａから下端５１ｂに達する程度に上下方向１００に延びた縦長の薄板状であり、左右方向１０２に貫通する長円形（扁円形）の複数の通気孔６１を含む。
【００３０】
このブラケット６０は、図３に示すように、閉状態において、収納庫５０の周囲に冷気を循環させるための内気循環領域４６の一部に配置されるが、複数の通気孔６１により内気循環領域４６における左右方向１０２の冷気の循環が妨げられることを抑制できる。このため、引き出しタイプの収納庫５０でありながら、収納庫５０の周囲における空気の循環効率が低下することを抑制できる。したがって、収納庫５０の四方の側壁５１〜５４に沿って冷気を万遍なく循環させることができ、収納庫５０に投入された白米全体を均一な状態で冷蔵可能な引き出しタイプの米びつ装置１を提供できる。
【００３１】
図７に、米びつ装置１をVII−VII断面図（図４のVII−VII断面）により示している。この米びつ装置１では、小段面３２の上方１００ａにおいて、第１の面３１が稜線部３０に対して内側に凹んでいるため、第１の面３１ａを境界としてハウジング１０の内外にそれぞれ三角柱状の第２の領域４２およびスペース９９を形成できる。このため、第１の面３１ａの内側の三角柱状の第２の領域４２に、冷却ファン７６を第１の面３１ａに沿って斜めに配置でき、ハウジング１０の奥行寸法、すなわち前後方向１０１のサイズを大型化することなく、冷却ファン７６のサイズを大型化できる。さらに、第１の面３１ａの外側の三角柱状のスペース９９を冷却ファン７６に大量の外気を効率よく供給するための空気室（チャンバー）として利用できる。したがって、ハウジング１０内外への空気の循環効率がよく、さらに、ハウジング１０内のスペース効率もよいコンパクトな米びつ装置１を提供できる。
【００３２】
図８に、米びつ装置１をVIII−VIII断面図（図４のVIII−VIII断面）により示している。この米びつ装置１では、小段面３２の下方１００ｂにおいて、稜線部３０が第１の面３１に対して外側に張り出しているため、稜線部３０を介して直角に接続された後面１２および右側面１４（左側面１３）の内側にそれぞれ四角柱状の第４の領域４４および第５の領域４５を形成できる。このため、稜線部３０ａの内側の四角柱状の第４の領域４４に、電源装置９０を後面１２および右側面１４に沿って直角に配置できる。さらに、稜線部３０ｂの内側の四角柱状の第５の領域４５に、外部ドレンパン８４を後面１２および左側面１３に沿って直角に配置できる。したがって、ハウジング１０の内部を隅々まで無駄なく有効に利用でき、さらに、外部ドレンパン８４を電源装置９０に対して排気孔３６（補助排気孔３９）側に配置することにより、電源装置９０からの放熱も有効に利用したドレンの蒸発効率のよい米びつ装置１を提供できる。
【００３３】
なお、本例では、本発明に係る冷蔵装置１に被冷蔵物として白米を収納した米びつ装置を例として説明したが、被冷蔵物は白米に限らず、小麦や玄米などの他の穀物、あるいは穀物以外の様々な被冷蔵物を冷却保存する冷蔵装置についても適用可能である。本例の米びつ装置１は、引き出しタイプで上部開口の投入口５５を備えた収納庫５０を採用しており、白米、小麦、玄米などの穀物を冷却保存するのに好適である。また、本例では、本発明に係る冷蔵装置１に冷却ユニット７０としてペルチェ効果素子を用いたペルチェ冷却ユニットを例として説明したが、冷媒、圧縮器および蒸発器などを用いた冷却ユニットを採用してもよい。また、ハウジング１０の後方コーナー１０ｃおよび１０ｄは、それぞれ、第２の屈曲部９２の上方１００ａに、第３の屈曲部を含むようにしてもよい。
【符号の説明】
【００３４】
１  冷蔵装置（米びつ装置）
１０  ハウジング
【図１】
2014043969.tif 000003
【図２】
2014043969.tif 000004
【図３】
2014043969.tif 000005
【図４】
2014043969.tif 000006
【図５】
2014043969.tif 000007
【図６】
2014043969.tif 000008
【図７】
2014043969.tif 000009
【図８】
2014043969.tif 000010